(57)【要約】【課題】  バックライトユニットの発光素子を交換し易く、且つバックライトユニットの光源の均一性を維持し、液晶表示装置の使用寿命を延長する液晶表示装置を提供する。【解決手段】  本発明に係わる液晶表示装置は、表示面側を有する液晶表示板と、液晶表示板の周辺に沿って設けられるフレームと、フレーム内に設けられ液晶表示板に電気的に接続される駆動制御回路とを有する液晶表示ユニットと、少なくとも一つの発光素子と、発光素子を駆動する光源ドライバーと、発光素子と光源ドライバーとが設けられ、フレームと結合することにより、バックライトユニットを液晶表示板の表示面側の対向側に設けるシェルと、を有するバックライトユニットとを備え、バックライトユニットのハウジングと液晶表示ユニットのフレームとからハウジングが構成される。【選択図】  図２
2005331957.tif 000002
【特許請求の範囲】
【請求項１】
表示面側を有する液晶表示板と、前記液晶表示板の周辺に沿って設けられるフレームと、前記フレーム内に設けられ前記液晶表示板に電気的に接続される駆動制御回路とを有する液晶表示ユニットと、
少なくとも一つの発光素子と、前記発光素子を駆動する光源ドライバーと、前記発光素子と前記光源ドライバーとが設けられ、前記フレームと結合することにより、バックライトユニットを前記液晶表示板の前記表示面側の対向側に設けるシェルと、を有するバックライトユニットと
を備え、
前記バックライトユニットの前記シェルと前記液晶表示ユニットの前記フレームとからハウジングが構成される、ことを特徴とする液晶表示装置。
【請求項２】
前記フレームは、第１フレーム部と第２フレーム部とを有し、前記第１フレーム部と前記第２フレーム部とを結合することにより前記フレームに容置空間が形成され、前記駆動制御回路は、前記容置空間内に設けられ、前記液晶表示板に電気的に接続されることにより、前記液晶表示板を駆動し制御する、ことを特徴とする請求項１に記載の液晶表示装置。
【請求項３】
前記液晶表示装置は、さらに、前記フレームと前記バックライトユニットのシェルと螺合することにより前記バックライトユニットを前記フレームに結合させる、少なくとも一つの螺合部材を備える、ことを特徴とする請求項１に記載の液晶表示装置。
【請求項４】
前記フレームは、第１フレーム部と第２フレーム部とを有し、前記螺合部材は、前記フレームの第２フレーム部と前記バックライトユニットのシェルと螺合することにより、前記バックライトユニットを前記フレームの第２フレーム部に結合させる、ことを特徴とする請求項３に記載の液晶表示装置。
【請求項５】
前記フレームには、さらに、少なくとも第１係合部が設けられ、前記フレームの接合側に対向する前記バックライトユニットのシェルには、少なくとも第２係合部が設けられ、前記第１係合部と前記第２係合部とを係り合うことにより、前記バックライトユニットを前記フレームに結合させる、ことを特徴とする請求項１に記載の液晶表示装置。
【請求項６】
前記液晶表示装置は、さらに、前記フレームと前記バックライトユニットのシェルと接続することにより、前記バックライトユニットを前記フレームに結合させる、少なくとも一つの鋲接部材を備える、ことを特徴とする請求項１に記載の液晶表示装置。
【請求項７】
前記バックライトユニットは、さらに、前記電源線の一端が前記光源ドライバーに電気的に接続され、他端が外部電源または前記液晶表示ユニットに電気的に接続される電源線とを有する、ことを特徴とする請求項１に記載の液晶表示装置。
【請求項８】
前記バックライトユニットは、さらに、一端が前記光源ドライバーに電気的に接続され、他端が前記駆動制御回路に電気的に接続される信号接続線とを有する、ことを特徴とする請求項１に記載の液晶表示装置。
【請求項９】
前記液晶表示装置は、液晶テレビである、ことを特徴とする請求項１に記載の液晶表示装置。
【請求項１０】
前記発光素子は、冷陰極蛍光ランプまたは平面蛍光ランプである、ことを特徴とする請求項１に記載の液晶表示装置。
【請求項１１】
前記発光素子は、発光ダイオードである、ことを特徴とする請求項１に記載の液晶表示装置。
【発明の詳細な説明】
【技術分野】
【０００１】
本発明は、液晶表示装置に関し、特にバックライトユニットを有する液晶表示装置に関する。
【背景技術】
【０００２】
液晶表示装置は、一般的に、通常の表示装置用の液晶表示装置と、テレビ用の液晶表示装置とに分けられる。この２種類の液晶表示装置は、構成的には大きな差がなく、ただ一部の部材、回路、または部材の設置位置が異なる。
図１に示すように、従来の液晶表示装置１は、主に、液晶表示板１１と、バックライトユニット１２と、駆動回路１３と、制御回路１４と、第１シェル１５と、第２シェル１６と、台座１７と、を備える。
【０００３】
液晶表示板１１は、少なくとも、液晶層１１１と、カラーフィルタ基板１１２と、薄膜トランジスタ回路基板１１３と、両偏光板１１４、１１５ (polarizer)と、有する。液晶層１１１は、カラーフィルタ基板１１２と薄膜トランジスタ回路基板１１３との間に挟持される。偏光板１１４、１１５は、それぞれカラーフィルタ基板１１２と薄膜トランジスタ回路基板１１３の片側に設けられる。
【０００４】
バックライトユニット１２は、主に、ランプユニット１２１と、ランプを駆動する光源ドライバー１２２と、を備える。ランプユニット１２１は、少なくとも、複数のランプ１２０と、拡散板１２４と、を含む。
【０００５】
駆動回路１３は、液晶表示板１１に電気的に接続され、液晶表示板１１を駆動するために用いられる。一般的に、駆動回路１３は、複数の駆動IC１３１と、少なくとも一つのつの駆動回路板１３２とによって構成される。
【０００６】
制御回路１４は、駆動回路１３を制御し、さらに液晶表示板１１を制御するために用いられる。制御回路１４は、通常、光源ドライバー１２２とともにランプユニット１２１の片側に設けられる。ランプユニット１２１は、ランプユニット１２１のランプ１２０の光源が液晶表示板１１に照射するように、液晶表示板１１に臨設される。
【０００７】
また、図１に示すように、液晶表示板１１、バックライトユニット１２、駆動回路１３及び制御回路１４は、完全に第１シェル１５と第２シェルハウジング１６とによって覆われる。第２シェル１６は、台座１７に接続される。
【発明の開示】
【発明が解決しようとする課題】
【０００８】
なお、従来の液晶表示装置１では、ランプユニット１２１に複数のランプ１２０が設けられる。一般的に、ランプ１２０は、冷陰極ランプである。ここで、各冷陰極ランプの平均寿命と品質は、完全に同様ではないので、ランプユニット１２１で何れかのランプ１２０が壊れると、バックライトユニット１２全体が提供したバックライトに支障が出ることになる。さらに、液晶表示装置全体が壊れることもある。この問題を解決するために、壊れたランプ１２０のみを交換できる、特殊な構成のランプユニット１２１が提案される。この提案によれば、壊れたランプ１２０を交換できるが、二つの問題がまだ解決できない。
【０００９】
その一、ランプユニット１２１に複数のランプ１２０が設けられるため、そのうちの一つや二つのランプ１２０のみを交換すると、ランプ１２０全体の輝度が不均一になる。
【００１０】
その二、従来の液晶表示装置１における液晶表示ユニット１１、バックライトユニット１２、駆動回路１３及び制御回路１４は、完全に第１シェル１５と第２シェル１６とによって覆われるため、ランプ１２０を交換する際に、少なくとも予め第１シェル１５と第２シェル１６を取り外し、さらに、制御回路１４と光源ドライバー１２２を取り外してからランプ１２０を交換することができる。この取り外し作業は、専門家にとって難しくないが、一般の消費者にとって、極めて困難である。さらに、製品に傷を付けることもあり、または、ランプが高電圧で駆動されるため、安全上の考慮もある。
【００１１】
従って、バックライトユニットの発光素子を交換し易く、且つバックライトユニットの光源の均一性を維持し、液晶表示装置の使用寿命を延長する液晶表示装置を提供することは、重要な課題となっている。
【００１２】
本発明は、上記問題を鑑みてなされたものであり、バックライトユニットの取り付け/取り外し作業を容易に行える液晶表示装置を提供することを目的とする。
【課題を解決するための手段】
【００１３】
本発明に係わる液晶表示装置は、表示面側を有する液晶表示板と、前記液晶表示板の周辺に沿って設けられるフレームと、前記フレーム内に設けられ前記液晶表示板に電気的に接続される駆動制御回路とを有する液晶表示ユニットと、少なくとも一つの発光素子と、前記発光素子を駆動する光源ドライバーと、前記発光素子と光源ドライバーとが設けられ、前記フレームと結合することにより、バックライトユニットを前記液晶表示板の前記表示面側の対向側に設けるシェルと、を有するバックライトユニットとを備え、前記バックライトユニットの前記シェルと前記液晶表示ユニットの前記フレームとからハウジングが構成される。
【発明の効果】
【００１４】
本発明の液晶表示装置によれば、発光素子と光源ドライバー等をバックライトユニットのシェル内に設置することにより、バックライトユニットが単一の取り付け/取り外しユニットとなるため、ユーザが自分で取り付け/取り外し作業を行える。言い換えれば、ユーザが個別に発光素子を交換せず、バックライトユニット整体を交換するため、バックライトユニットの発光素子の均一性を維持することができ、さらに液晶表示装置の使用寿命を維持することができる。すなわち、液晶表示装置の液晶表示ユニットが壊れず、単にバックライトユニットの発光素子が壊れた場合、ユーザがバックライトユニットを交換するだけで済むので、液晶表示装置の使用寿命を延長することができる。
【発明を実施するための最良の形態】
【００１５】
以下、図面を参照しながら、本発明の好適な実施例における液晶表示装置について説明する。なお、本実施例において、液晶表示装置は、液晶テレビである。
【００１６】
図２に示すように、本発明の液晶表示装置は、液晶表示ユニット３と、バックライトユニット４と、を備える。液晶表示ユニット３は、フレーム３１と、液晶表示板３２と、駆動制御回路３３と、を有する。
【００１７】
フレーム３１は、液晶表示板３２の周辺に沿って設けられる。本実施例において、フレーム３１は、一体成形でもよく、第１フレーム部３１１と第２フレーム部３１２とを有してもよい(図６参照)。液晶表示板３２は、少なくとも、液晶層３２１と、カラーフィルタ基板３２２と、薄膜トランジスタ回路基板３２３と、両偏光板３２４、３２５と、を有する。液晶層３２１は、カラーフィルタ基板３２２と薄膜トランジスタ回路基板３２３との間に挟持され、偏光板３２４、３２５は、それぞれカラーフィルタ基板３２２と薄膜トランジスタ回路基板３２３の片側に設けられる。すなわち、偏光板３２４は、液晶表示板の表示面側３０に位置する。駆動制御回路３３は、液晶表示ユニット３のフレーム３１の容置空間３１０内に設けられ、液晶表示板３２の薄膜トランジスタ回路基板３２３に電気的に接続されることにより、液晶表示板３２を駆動し制御する。
【００１８】
バックライトユニット４は、シェル４１と、少なくとも一つの発光素子４２と、発光素子４２を駆動する光源ドライバー４３と、を有する。発光素子４２と光源ドライバー４３は、シェル４１内に設けられ、シェル４１は、フレーム３１と結合することにより、バックライトユニット４を液晶表示板３２の表示面側３０の対向側に設ける。もちろん、バックライトユニット４は、さらに、拡散板４４等の光学素子を有することもでき、これにより、発光素子４２の光源が拡散板４４等の光学素子を介して液晶表示ユニット３に投射される。本実施例において、バックライトユニットの発光素子は、例えば冷陰極ランプであるが、もちろん、発光ダイオードまたは平面蛍光ランプ等を使用してもよい。
【００１９】
図２と図３に示すように、フレーム３１とバックライトユニット４のシェル４１とは、螺合部材５で接続することにより、バックライトユニット４をフレーム３１に結合する。例えば、図６に示すように、フレーム３１は、第１フレーム部３１１と第２フレーム部３１２とを有する場合、螺合部材５は、シェル４１と第２フレーム部３１２と螺合することにより、バックライトユニット４をフレーム３１に結合させる。もちろん、螺合方式の代わりに、液晶表示ユニット３とバックライトユニット４は、図４に示すように、少なくとも一つの鋲接部材６によって連結することもできる。すなわち、フレーム３１とバックライトユニット４のシェル４１は、鋲接部材６によって接続することにより、バックライトユニット４をフレーム３１に結合させる。さらに、図５に示すように、フレーム３１には、少なくとも第１係合部３１３が設けられ、フレーム３１の接合側に対向するバックライトユニット４のシェル４１には、少なくとも第２係合部４１１が設けられ、第１係合部３１３と前記第２係合部４１１とを係り合うことにより、バックライトユニット４をフレーム３１に結合させる。ここで、図７に示すように、フレーム３１は、第１フレーム部３１１と第２フレーム部３１２とを有する場合、第１係合部３１３は、フレーム３１の第２フレーム部３１２に設けられる。なお、液晶表示ユニット３とバックライトユニット４との結合方式は、上述した方式に限らず、液晶表示ユニット３とバックライトユニット４とを結合する方法であれば、適用できる。
【００２０】
また、図２に示すように、バックライトユニット４は、さらに電源線７と信号接続線８とを有する。電源線７は、一端が光源ドライバー４３に電気的に接続され、他端が外部電源(図示せず)または液晶表示ユニット３に電気的に接続される。信号接続線８は、一端が光源ドライバー４３に電気的に接続され、他端が駆動制御回路３３に電気的に接続される。
【００２１】
上述したように、液晶表示ユニット３とバックライトユニット４を結合することにより、液晶表示ユニット３のフレーム３１とバックライトユニット４のシェル４１とから本発明の液晶表示装置のハウジングが構成される。
【００２２】
最後に、図４に示すように、本発明の液晶表示装置は、さらに台座９を有する。台座９は、フレーム３１に連結され、液晶表示装置を起立させるために設けられる。なお、台座９は、フレーム３１に連結されるため、バックライトユニット４の取り付けまたは取り外し作業を邪魔することはない。
【００２３】
以上、本発明の実施の形態を図面を参照して詳述してきたが、具体的な構成は、この実施の形態に限られるものではなく、本発明の要旨を逸脱しない範囲の設計変更等があっても、本発明に含まれる。
【図面の簡単な説明】
【００２４】
【図１】従来の液晶表示装置を示す側断面図である。
【図２】本発明の好適な実施例における液晶表示装置を示す部分分解側面図である。
【図３】図２に示す液晶表示装置における液晶表示ユニットとバックライトユニットの結合方式を示す側面図である。
【図４】本発明の液晶表示装置における液晶表示ユニットとバックライトユニットの他の結合方式を示す側面図である。
【図５】本発明の液晶表示装置における液晶表示ユニットとバックライトユニットのもう一つの結合方式を示す側面図である。
【図６】本発明の液晶表示ユニットのフレームを示す断面斜視図である。
【図７】本発明の液晶表示ユニットのフレームの第１係合部を示す断面立体図である。
【符号の説明】
【００２５】
３        液晶表示ユニット
３０      液晶表示板の表示面側
３１      フレーム
３１０    容置空間
３１１    第１フレーム部
３１２    第２フレーム部
３１３    第１係合部
３２      液晶表示板
３２１    液晶層
３２２    カラーフィルタ基板
３２３    薄膜トランジスタ回路基板
３２４    偏光板
３２５    偏光板
３３      駆動制御回路
４        バックライトユニット
４１      シェル
４１１    第２係合部
４２      発光素子
４３      光源ドライバー
４４      拡散板
５        螺合部材
６        鋲接部材
７        電源線
８        信号接続線
９        台座
【図１】
2005331957.tif 000003
【図２】
2005331957.tif 000004
【図３】
2005331957.tif 000005
【図４】
2005331957.tif 000006
【図５】
2005331957.tif 000007
【図６】
2005331957.tif 000008
【図７】
2005331957.tif 000009